(57)【要約】【課題】吸引力が急激に低下するのを防止することで集塵性能を向上させ、かつ小型化を実現した電気掃除機を提供することを目的とする。【解決手段】塵埃を含む吸引風を流入する流入口９を有する第１塵埃分離部６と、前記第１塵埃分離部６内に流入した吸引風を内部に流入しフィルターを設けた流入口１０を有する第２塵埃分離部７と、前記第２塵埃分離部７の吸気下流側に前記第２塵埃分離部７と吸引風を発する電動送風機とを連通させフィルターを設けた連通口１２とを備え、前記連通口１２に設けたフィルターの目の粗さを、前記第２塵埃分離部７に形成した流入口１０に設けたフィルターの目の粗さと同等もしくはそれより小さくしたもので、細塵の電動送風機侵入を防ぐとともに、第２塵埃分離部７への塵埃吸引をより確実に行うことができる。【選択図】  図２
2004160150.tif 000002
【特許請求の範囲】
【請求項１】
塵埃を含む吸引風を流入する流入口を有する第１塵埃分離部と、前記第１塵埃分離部内に流入した吸引風を内部に流入しフィルターを設けた流入口を有する第２塵埃分離部と、前記第２塵埃分離部の吸気下流側に前記第２塵埃分離部と吸引風を発する電動送風機とを連通させフィルターを設けた連通口とを備え、前記連通口に設けたフィルターの目の粗さを、前記第２塵埃分離部に形成した流入口に設けたフィルターの目の粗さと同等もしくはそれより小さくした電気掃除機。
【請求項２】
塵埃を含む吸引風を流入する流入口を有する第１塵埃分離部と、前記第１塵埃分離部内に流入した吸引風を内部に流入しフィルターを設けた流入口を有する第２塵埃分離部と、前記第１塵埃分離部と吸引風を発する電動送風機とを連通させフィルターを設けた連通口とを備え、前記連通口に設けたフィルターの目の粗さを、前記第２塵埃分離部に形成した流入口に設けたフィルターの目の粗さと同等もしくはそれより小さくした電気掃除機。
【請求項３】
第１塵埃分離部内に流入した吸引風が、旋回するための案内部を形成してなる請求項１または２記載の電気掃除機。
【請求項４】
第２塵埃分離部と吸引風を発する電動送風機とを連通させフィルターを設けた連通口を集塵蓋に設け、前記集塵蓋を前記第２塵埃分離部と着脱自在に構成した請求項１〜３のいずれか１項に記載の電気掃除機。
【発明の詳細な説明】
【０００１】
【発明の属する技術分野】
本発明は、電気掃除機の集塵構造に関するものである。
【０００２】
【従来の技術】
従来の電気掃除機の構成を図１３を用いて説明する。有底の集塵室３１を設け、内部に吸気する吸気口３２を集塵室３１の側壁に接線方向に向け設けている。集塵室３１の上端開口部３３を覆うように蓋体３４を設け、この蓋体３４に排気口３５を設ける。また集塵室３１の上端開口部３３を覆うようにフィルター３６を取り付けている。電動送風機３７が運転すると、塵埃は吸込部３８より吸引され、吸気口３２より集塵室３１内に吸気され、集塵室３１内で遠心分離され、排気はフィルター３６を通して排気口３５より排出される（特許文献１参照）。
【０００３】
【特許文献１】
特開２００１−１０４２２３号公報
【０００４】
【発明が解決しようとする課題】
しかしながら上記従来の構成では、吸気口３２より吸引した塵埃がフィルター３６に付着、目詰まりを起こし、集塵室３１に塵埃が十分吸引されないまま吸引力が低下するということがあった。またこの目詰まり対策の為、フィルター３６の面積を大きくすることもあったが、集塵室３１そのものが大きくなり電気掃除機そのものが大型化してしまうという課題があった。
【０００５】
本発明は上記課題を解決するもので、吸引力が急激に低下するのを防止することで集塵性能を向上させ、かつ小型化を実現した電気掃除機を提供することを目的とする。
【０００６】
【課題を解決するための手段】
上記目的を達成するために本発明は、塵埃を含む吸引風を流入する流入口を有する第１塵埃分離部と、前記第１塵埃分離部内に流入した吸引風を内部に流入しフィルターを設けた流入口を有する第２塵埃分離部と、前記第２塵埃分離部の吸気下流側に前記第２塵埃分離部と吸引風を発する電動送風機とを連通させフィルターを設けた連通口とを備え、前記連通口に設けたフィルターの目の粗さを、前記第２塵埃分離部に形成した流入口に設けたフィルターの目の粗さと同等もしくはそれより小さくしたもので、前記連通口に通気性を有するフィルターを設けて細塵の電動送風機侵入を防ぐとともに、第２塵埃分離部の流入口にも通気性を有するフィルターを設けて、第２塵埃分離部に吸引する塵埃の大きさを制限し、前記連通口のフィルターの目の粗さを前記流入口のフィルターの目の粗さと同等もしくはそれより小さく設けることで、前記流入口のフィルターの圧損を前記連通口のフィルターの圧損と同等以下にでき、第２塵埃分離部への塵埃吸引をより確実に行うことができる。
【０００７】
【発明の実施の形態】
本発明の請求項１記載の発明は、塵埃を含む吸引風を流入する流入口を有する第１塵埃分離部と、前記第１塵埃分離部内に流入した吸引風を内部に流入しフィルターを設けた流入口を有する第２塵埃分離部と、前記第２塵埃分離部の吸気下流側に前記第２塵埃分離部と吸引風を発する電動送風機とを連通させフィルターを設けた連通口とを備え、前記連通口に設けたフィルターの目の粗さを、前記第２塵埃分離部に形成した流入口に設けたフィルターの目の粗さと同等もしくはそれより小さくしたもので、前記連通口に通気性を有するフィルターを設けて細塵の電動送風機侵入を防ぐとともに、第２塵埃分離部の流入口にも通気性を有するフィルターを設けて、第２塵埃分離部に吸引する塵埃の大きさを制限し、前記連通口のフィルターの目の粗さを前記流入口のフィルターの目の粗さと同等もしくはそれより小さく設けることで、前記流入口のフィルターの圧損を前記連通口のフィルターの圧損と同等以下にでき、第２塵埃分離部への塵埃吸引をより確実に行うことができる。
【０００８】
本発明の請求項２記載の発明は、塵埃を含む吸引風を流入する流入口を有する第１塵埃分離部と、前記第１塵埃分離部内に流入した吸引風を内部に流入しフィルターを設けた流入口を有する第２塵埃分離部と、前記第１塵埃分離部と吸引風を発する電動送風機とを連通させフィルターを設けた連通口とを備え、前記連通口に設けたフィルターの目の粗さを、前記第２塵埃分離部に形成した流入口に設けたフィルターの目の粗さと同等もしくはそれより小さくしたもので、前記連通口に通気性を有するフィルターを設け、このフィルターの目の粗さを、第２塵埃分離部７の流入口１２に設けたフィルターの目の粗さと同等もしくはそれより大きくすることで、より多くの吸引風を第１塵埃分離部に誘導、第２塵埃分離部の第２流入口の目詰まりをより低減することで、吸引塵埃量による風量低下をより遅らせることができるとともに、第１塵埃分離部に吸引、蓄積する塵埃量をさらに多くできる。
【０００９】
本発明の請求項３記載の発明は、第１塵埃分離部内に流入した吸引風が、旋回するための案内部を形成してなるもので、第１塵埃分離部の流入口に吸引された塵埃を含む吸引風は、この案内部によってスムースに旋回を始めることができる。
【００１０】
本発明の請求項４記載の発明は、第２塵埃分離部と吸引風を発する電動送風機とを連通させフィルターを設けた連通口を集塵蓋に設け、前記集塵蓋を前記第２塵埃分離部と着脱自在に構成したもので、第２塵埃分離部内部の清掃等メンテナンスが容易に行える。
【００１１】
【実施例】
以下、本発明の一実施例について、図１〜図１２を用いて説明する。
【００１２】
図１は電気掃除機の正面図である。
【００１３】
本掃除機は、下部に床面の塵埃を吸引する吸い込み具１、上部に取っ手を有するハンドル部２、吸引風を発する電動送風機を内蔵し、前記ハンドル部２に固定して設けた電動送風機室３、この電動送風機室３の下方に前記電動送風機室３と着脱できる塵埃分離蓄積部４、この塵埃分離蓄積部４と前記吸い込み具１を連通する吸引通路を内方に有し、前記吸い込み具１とハンドル部２を接続する延長管５から構成されている。また、ハンドル部２には、前記吸い込み具１から吸引、延長管５内部を通った塵埃を塵埃分離蓄積部４に排出する排出穴（図示せず）が設けられている。
【００１４】
図２は電気掃除機の塵埃分離蓄積部４を構成する、第１塵埃分離部６、第２塵埃分離部７及び集塵蓋８である。第１塵埃分離部６は、上部に水平方向に略円筒形状の壁を有し、下部は略半球状の有底に形成する。また、第１塵埃分離部６の壁の一部で、前記ハンドル部２の排出穴に対向する位置に、略円形断面を有する第１流入口９が設けられている。第２塵埃分離部７は、前記第１塵埃分離部６の壁より小径の略円筒形状の壁を有し、上端開口で有底に形成されている。集塵蓋８は、エラストマーのような軟質材を外周に設けた有底の略円筒形状に設け、その軟質材の外径は、前記第１塵埃分離部６の壁面部１３の内周に密着できる径に形成されている。１０は第２塵埃分離部７内方へ塵埃を誘導する流入口で、前記第１流入口９と対向しない位置に設けられている。
【００１５】
図３、図４、図５、図６はそれぞれ電気掃除機の第２塵埃分離部７の上面図、底面図、正面図及び側面図である。１０は第２塵埃分離部７内方へ塵埃を誘導する流入口、１４は第２塵埃分離部に設けた略円筒形状の壁面部、１１は第１塵埃分離部６の第１流入口９と対向する位置に設け、前記壁面部１４外周と接するゆるやかな曲面を有した案内部、１５は前記壁面部１４の一部を切り欠いた位置で、且つ第２塵埃分離部７底面に設けた第１開口部、１６は前記第１開口部１５の外周にあって、前記第２流入口１０より第２塵埃分離部７内に吸引された風が前記壁面部１４の内周に沿って旋回する旋回流の下流側に、前記壁面部１４と同一形状に設けたガイド部、１７は前記集塵蓋８と係合するツメ部である。また前記壁面部１４の円中心と前記第１開口部１５の中心を結ぶ直線と、前記壁面部１４の円中心と第２塵埃分離部７に設けた第２流入口１０中心を結ぶ直線とが形成する角度θを直角以上の角度に設けてある。また、２１は第２塵埃分離部７の内部と前記第１開口部１５を連通する第２開口部である。
【００１６】
図７は集塵蓋８の底面図である。１２は前記電動送風機室３の吸引口と前記第２塵埃分離部７の内部を連通する第１連通口、１８は前記第２塵埃分離部７のツメ部１７の係合部、１９は前記第１流入口９より第１塵埃分離部６内に吸引された空気流が前記第２塵埃分離部７の壁面部１４の外周に沿って旋回する旋回流の下流側に位置し、前記電動送風機室３と前記第１塵埃分離部６の内部を連通する第２連通口である。
【００１７】
図８は第１塵埃分離部６の上面図である。２０は、前記第２塵埃分離部７の第１開口部１５に対向し、且つこの第１開口部１５外周と当接する高さを有する塵埃蓄積部である。
【００１８】
図９、図１０はそれぞれ第２塵埃分離部と集塵蓋のユニット部品の底面図及び正面図である。
【００１９】
図１１、図１２はそれぞれ第１塵埃分離部、第２塵埃分離部と集塵蓋のユニット部品の底面図及び透視図である。第１塵埃分離部６の壁面部１３は水平方向に略円筒形状であるとともに、第２塵埃分離部７の略円筒形状の壁面部１４となす距離ｄは、第２塵埃分離部７の略円筒形状の壁面部１４の外周に沿って旋回する旋回流の下流側になるにつれて小さくなるよう形成してある。
【００２０】
上記構成による動作作用を説明する。前記吸い込み具１より吸引した塵埃は、延長管部５内を通った後、前記ハンドル部２の排出穴（図示せず）を経て、前記第１流入口９より前記第１塵埃分離部６に吸引される。第１流入口９より第１塵埃分離部に吸引された塵埃を含む吸引風は、ゆるやかな曲面の案内部１１によって前記第２塵埃分離部７の壁面部１４の外周に沿って外周をスムースに旋回し始める。
【００２１】
旋回を始めた塵埃は、やがて前記第２流入口１０に至り、質量の大きい塵埃は旋回流の遠心力によってさらに第１塵埃分離部６の奥に誘導され、質量の小さい塵埃は、前記第２流入口１０を経て第２塵埃分離部７内方へ吸引され、第１段階の塵埃分離が行われる。この第１段階の塵埃分離は、第１塵埃分離部６の壁面部と第２塵埃分離部７の壁面部１４とが形成する距離ｄが、第２塵埃分離部７の壁面部１４の外周に沿って旋回する旋回流の下流側になるにつれて小さくして形成するため、旋回流の速度を極力落とさないことで、効率よく行うことができる。尚、第１塵埃分離部６の奥に誘導された質量の大きい塵埃は、やがてその旋回流が弱まった時点で第１塵埃分離部６の奥底へ蓄積されていく。
【００２２】
ところで、第２塵埃分離部７の第２流入口１０よりその内方に吸引された質量の小さい塵埃は、前記壁面部１４内周を旋回し始め、この壁面部１４が切り欠かれた位置（第２開口部２１）で前記第１開口部１５へ誘導され、連通した前記塵埃蓄積部２０に蓄積され、第２段階の塵埃分離が行われる。また、旋回流の勢いで前記第１開口部１５を通過しようとする塵埃も前記ガイド部１６にその進路を阻まれ、速度を失った後、前記前記第１開口部１５を経て前記塵埃蓄積部２０に蓄積される。塵埃を取り除かれた吸引風は、第２塵埃分離部内を旋回した後、前記第１連通口１２を経て塵埃分離蓄積部４より排出され、前記電動送風機室３内を通って、この電動送風機室３に設けた排気口より機体外へ排出される。
【００２３】
ところで、前記第１連通口１２には通気性を有するフィルターを設けて細塵の電動送風機侵入を防ぐとともに、第２塵埃分離部７の第２流入口１０にも通気性を有するフィルターを設けて、第２塵埃分離部に吸引する塵埃の大きさを制限し、前記第１連通口１２のフィルターの目の粗さを前記第２流入口１０のフィルターの目の粗さと同等もしくはそれより小さく設けることで、前記第２流入口１０のフィルターの圧損を前記第１連通口１２のフィルターの圧損と同等以下にでき、第２塵埃分離部７への塵埃吸引をより確実に行うことができる。
【００２４】
また、前記第１連通口１２とともに、第１塵埃分離部６の内部と前記電動送風機室３を連通する第２連通口１９を集塵蓋８に設けることで、第１塵埃分離部６での吸引面積が増えるため、各連通口及び流入口での目詰まりをさらに低減し、その結果、第２塵埃分離部７の第２流入口１０部分で分離された後に第１塵埃分離部７に蓄積する塵埃をより多くできる。さらに、この第２連通口１９にも通気性を有するフィルターを設け、このフィルターの目の粗さを、第２塵埃分離部７の流入口１２に設けたフィルターの目の粗さと同等もしくはそれより大きくすることで、より多くの吸引風を第１塵埃分離部６に誘導、第２塵埃分離部７の第２流入口１０の目詰まりをより低減することで、吸引塵埃量による風量低下をより遅らせることができるとともに、第１塵埃分離部６に吸引、蓄積する塵埃量をさらに多くできる。
【００２５】
ところで第２塵埃分離部７はそのツメ部１７によって集塵蓋８の係合部１８に係合、着脱自在に装着できる。また集塵蓋８はその外周部が第１塵埃分離部６の壁面部１３の内周に密着することで着脱自在に装着できる。したがって、第１塵埃分離部６に蓄積された粗塵及びその内方に設けた塵埃蓄積部２０に蓄積された細塵は、集塵蓋８を第１塵埃分離部６より取り外すことによって同時に且つ容易に廃棄することができ、万が一塵埃が第２流入口１０に付着しても、その除去等メンテナンスも容易に行える。
【００２６】
また第２塵埃分離部７も集塵蓋８と着脱自在であることから、第２塵埃分離部７内部の清掃や、万が一塵埃が集塵蓋８の第１連通口１２や流入口１９に付着しても、その除去等メンテナンスが容易に行える。
【００２７】
本実施例においては、ほうき型電気掃除機として説明を行っているが、形式や電源の形態を問わず、一般の掃除機全般についても同様な構成を採用可能である。
【００２８】
【発明の効果】
本発明によれば、吸引力が急激に低下するのを防止することで集塵性能を向上させ、かつ小型化を実現した電気掃除機を提供できる。
【図面の簡単な説明】
【図１】本発明の一実施例を説明する電気掃除機の正面図
【図２】同塵埃分離蓄積部の略構成図
【図３】同第２塵埃分離部の上面図
【図４】同第２塵埃分離部の底面図
【図５】同第２塵埃分離部の正面図
【図６】同第２塵埃分離部の側面図
【図７】同集塵蓋の底面図
【図８】同第１塵埃分離部の上面図
【図９】同第２塵埃分離部と集塵蓋のユニット部品の底面図
【図１０】同第２塵埃分離部と集塵蓋のユニット部品の正面図
【図１１】同第１塵埃分離部、第２塵埃分離部と集塵蓋のユニット部品の底面図
【図１２】同第１塵埃分離部、第２塵埃分離部と集塵蓋のユニット部品の透視図
【図１３】従来の掃除機の略構成図
【符号の説明】
４  塵埃分離蓄積部
６  第１塵埃分離部
７  第２塵埃分離部
８  集塵蓋
９  第１流入口
１０  第２流入口
１２  第１連通口
１５  開口部
２０  塵埃蓄積部
【図１】
2004160150.tif 000003
【図２】
2004160150.tif 000004
【図３】
2004160150.tif 000005
【図４】
2004160150.tif 000006
【図５】
2004160150.tif 000007
【図６】
2004160150.tif 000008
【図７】
2004160150.tif 000009
【図８】
2004160150.tif 000010
【図９】
2004160150.tif 000011
【図１０】
2004160150.tif 000012
【図１１】
2004160150.tif 000013
【図１２】
2004160150.tif 000014
【図１３】
2004160150.tif 000015
【手続補正書】
【提出日】平成15年12月19日(2003.12.19)
【手続補正１】
【補正対象書類名】明細書
【補正対象項目名】全文
【補正方法】変更
【補正の内容】
【特許請求の範囲】
【請求項１】吸引風を発する電動送風機を内蔵する電動送風機室と、前記電動送風機室と着脱できる塵埃分離蓄積部とを備え、前記塵埃分離蓄積部は、塵埃を含む吸引風が流入する第１流入口を有する第１塵埃分離部、前記第１塵埃分離部内に流入した吸引風を内部に流入させフィルターを設けた第２流入口を有する第２塵埃分離部、前記第２塵埃分離部の吸気下流側に前記第２塵埃分離部と前記電動送風機とを連通させフィルターを設けた第１連通口を有する集塵蓋、前記第１塵埃分離部と前記電動送風機とを連通させフィルターを設けた第２連通口からなり、前記第２連通口に設けたフィルターの目の粗さを、前記第２流入口に設けたフィルターの目の粗さと同等もしくはそれより大きくするとともに、前記集塵蓋を前記第２塵埃分離部と着脱自在に構成した電気掃除機。
【請求項２】第１塵埃分離部内に流入した吸引風が、旋回するための案内部を形成してなる請求項１記載の電気掃除機。
【発明の詳細な説明】
【０００１】
【発明の属する技術分野】
本発明は、電気掃除機の集塵構造に関するものである。
【０００２】
【従来の技術】
従来の電気掃除機の構成を図１３を用いて説明する。有底の集塵室３１を設け、内部に吸気する吸気口３２を集塵室３１の側壁に接線方向に向け設けている。集塵室３１の上端開口部３３を覆うように蓋体３４を設け、この蓋体３４に排気口３５を設ける。また集塵室３１の上端開口部３３を覆うようにフィルター３６を取り付けている。電動送風機３７が運転すると、塵埃は吸込部３８より吸引され、吸気口３２より集塵室３１内に吸気され、集塵室３１内で遠心分離され、排気はフィルター３６を通して排気口３５より排出される（特許文献１参照）。
【０００３】
【特許文献１】
特開２００１−１０４２２３号公報
【０００４】
【発明が解決しようとする課題】
しかしながら上記従来の構成では、吸気口３２より吸引した塵埃がフィルター３６に付着、目詰まりを起こし、集塵室３１に塵埃が十分吸引されないまま吸引力が低下するということがあった。またこの目詰まり対策の為、フィルター３６の面積を大きくすることもあったが、集塵室３１そのものが大きくなり電気掃除機そのものが大型化してしまうという課題があった。
【０００５】
本発明は上記課題を解決するもので、吸引力が急激に低下するのを防止することで集塵性能を向上させ、かつ小型化を実現した電気掃除機を提供することを目的とする。
【０００６】
【課題を解決するための手段】
上記目的を達成するために本発明は、吸引風を発する電動送風機を内蔵する電動送風機室と、前記電動送風機室と着脱できる塵埃分離蓄積部とを備え、前記塵埃分離蓄積部は、塵埃を含む吸引風が流入する第１流入口を有する第１塵埃分離部、前記第１塵埃分離部内に流入した吸引風を内部に流入させフィルターを設けた第２流入口を有する第２塵埃分離部、前記第２塵埃分離部の吸気下流側に前記第２塵埃分離部と前記電動送風機とを連通させフィルターを設けた第１連通口を有する集塵蓋、前記第１塵埃分離部と前記電動送風機とを連通させフィルターを設けた第２連通口からなり、前記第２連通口に設けたフィルターの目の粗さを、前記第２流入口に設けたフィルターの目の粗さと同等もしくはそれより大きくするとともに、前記集塵蓋を前記第２塵埃分離部と着脱自在に構成したもので、より多くの吸引風を第１塵埃分離部に誘導、第２塵埃分離部の第２流入口の目詰まりをより低減することで、吸引塵埃量による風量低下をより遅らせることができるとともに、第１塵埃分離部に吸引、蓄積する塵埃量をさらに多くできる。
【０００７】
【発明の実施の形態】
本発明の請求項１記載の発明は、吸引風を発する電動送風機を内蔵する電動送風機室と、前記電動送風機室と着脱できる塵埃分離蓄積部とを備え、前記塵埃分離蓄積部は、塵埃を含む吸引風が流入する第１流入口を有する第１塵埃分離部、前記第１塵埃分離部内に流入した吸引風を内部に流入させフィルターを設けた第２流入口を有する第２塵埃分離部、前記第２塵埃分離部の吸気下流側に前記第２塵埃分離部と前記電動送風機とを連通させフィルターを設けた第１連通口を有する集塵蓋、前記第１塵埃分離部と前記電動送風機とを連通させフィルターを設けた第２連通口からなり、前記第２連通口に設けたフィルターの目の粗さを、前記第２流入口に設けたフィルターの目の粗さと同等もしくはそれより大きくするとともに、前記集塵蓋を前記第２塵埃分離部と着脱自在に構成したものである。
【０００８】
前記第２連通口に設けたフィルターの目の粗さを、第２塵埃分離部の流入口に設けたフィルターの目の粗さと同等もしくはそれより大きくすることで、より多くの吸引風を第１塵埃分離部に誘導、第２塵埃分離部の第２流入口の目詰まりをより低減することで、吸引塵埃量による風量低下をより遅らせることができるとともに、第１塵埃分離部に吸引、蓄積する塵埃量をさらに多くできる。
【０００９】
また、集塵蓋を前記第２塵埃分離部と着脱自在に構成したもので、第２塵埃分離部内部の清掃等メンテナンスが容易に行える。
【００１０】
本発明の請求項２記載の発明は、第１塵埃分離部内に流入した吸引風が、旋回するための案内部を形成してなるもので、第１塵埃分離部の流入口に吸引された塵埃を含む吸引風は、この案内部によってスムースに旋回を始めることができる。
【００１１】
【実施例】
以下、本発明の一実施例について、図１〜図１２を用いて説明する。
【００１２】
図１は電気掃除機の正面図である。
【００１３】
本掃除機は、下部に床面の塵埃を吸引する吸い込み具１、上部に取っ手を有するハンドル部２、吸引風を発する電動送風機を内蔵し、前記ハンドル部２に固定して設けた電動送風機室３、この電動送風機室３の下方に前記電動送風機室３と着脱できる塵埃分離蓄積部４、この塵埃分離蓄積部４と前記吸い込み具１を連通する吸引通路を内方に有し、前記吸い込み具１とハンドル部２を接続する延長管５から構成されている。また、ハンドル部２には、前記吸い込み具１から吸引、延長管５内部を通った塵埃を塵埃分離蓄積部４に排出する排出穴（図示せず）が設けられている。
【００１４】
図２は電気掃除機の塵埃分離蓄積部４を構成する、第１塵埃分離部６、第２塵埃分離部７及び集塵蓋８である。第１塵埃分離部６は、上部に水平方向に略円筒形状の壁を有し、下部は略半球状の有底に形成する。また、第１塵埃分離部６の壁の一部で、前記ハンドル部２の排出穴に対向する位置に、略円形断面を有する第１流入口９が設けられている。第２塵埃分離部７は、前記第１塵埃分離部６の壁より小径の略円筒形状の壁を有し、上端開口で有底に形成されている。集塵蓋８は、エラストマーのような軟質材を外周に設けた有底の略円筒形状に設け、その軟質材の外径は、前記第１塵埃分離部６の壁面部１３の内周に密着できる径に形成されている。１０は第２塵埃分離部７内方へ塵埃を誘導する流入口で、前記第１流入口９と対向しない位置に設けられている。
【００１５】
図３、図４、図５、図６はそれぞれ電気掃除機の第２塵埃分離部７の上面図、底面図、正面図及び側面図である。１０は第２塵埃分離部７内方へ塵埃を誘導する流入口、１４は第２塵埃分離部に設けた略円筒形状の壁面部、１１は第１塵埃分離部６の第１流入口９と対向する位置に設け、前記壁面部１４外周と接するゆるやかな曲面を有した案内部、１５は前記壁面部１４の一部を切り欠いた位置で、且つ第２塵埃分離部７底面に設けた第１開口部、１６は前記第１開口部１５の外周にあって、前記第２流入口１０より第２塵埃分離部７内に吸引された風が前記壁面部１４の内周に沿って旋回する旋回流の下流側に、前記壁面部１４と同一形状に設けたガイド部、１７は前記集塵蓋８と係合するツメ部である。また前記壁面部１４の円中心と前記第１開口部１５の中心を結ぶ直線と、前記壁面部１４の円中心と第２塵埃分離部７に設けた第２流入口１０中心を結ぶ直線とが形成する角度θを直角以上の角度に設けてある。また、２１は第２塵埃分離部７の内部と前記第１開口部１５を連通する第２開口部である。
【００１６】
図７は集塵蓋８の底面図である。１２は前記電動送風機室３の吸引口と前記第２塵埃分離部７の内部を連通する第１連通口、１８は前記第２塵埃分離部７のツメ部１７の係合部、１９は前記第１流入口９より第１塵埃分離部６内に吸引された空気流が前記第２塵埃分離部７の壁面部１４の外周に沿って旋回する旋回流の下流側に位置し、前記電動送風機室３と前記第１塵埃分離部６の内部を連通する第２連通口である。
【００１７】
図８は第１塵埃分離部６の上面図である。２０は、前記第２塵埃分離部７の第１開口部１５に対向し、且つこの第１開口部１５外周と当接する高さを有する塵埃蓄積部である。
【００１８】
図９、図１０はそれぞれ第２塵埃分離部と集塵蓋のユニット部品の底面図及び正面図である。
【００１９】
図１１、図１２はそれぞれ第１塵埃分離部、第２塵埃分離部と集塵蓋のユニット部品の底面図及び透視図である。第１塵埃分離部６の壁面部１３は水平方向に略円筒形状であるとともに、第２塵埃分離部７の略円筒形状の壁面部１４となす距離ｄは、第２塵埃分離部７の略円筒形状の壁面部１４の外周に沿って旋回する旋回流の下流側になるにつれて小さくなるよう形成してある。
【００２０】
上記構成による動作作用を説明する。前記吸い込み具１より吸引した塵埃は、延長管部５内を通った後、前記ハンドル部２の排出穴（図示せず）を経て、前記第１流入口９より前記第１塵埃分離部６に吸引される。第１流入口９より第１塵埃分離部に吸引された塵埃を含む吸引風は、ゆるやかな曲面の案内部１１によって前記第２塵埃分離部７の壁面部１４の外周に沿って外周をスムースに旋回し始める。
【００２１】
旋回を始めた塵埃は、やがて前記第２流入口１０に至り、質量の大きい塵埃は旋回流の遠心力によってさらに第１塵埃分離部６の奥に誘導され、質量の小さい塵埃は、前記第２流入口１０を経て第２塵埃分離部７内方へ吸引され、第１段階の塵埃分離が行われる。この第１段階の塵埃分離は、第１塵埃分離部６の壁面部と第２塵埃分離部７の壁面部１４とが形成する距離ｄが、第２塵埃分離部７の壁面部１４の外周に沿って旋回する旋回流の下流側になるにつれて小さくして形成するため、旋回流の速度を極力落とさないことで、効率よく行うことができる。尚、第１塵埃分離部６の奥に誘導された質量の大きい塵埃は、やがてその旋回流が弱まった時点で第１塵埃分離部６の奥底へ蓄積されていく。
【００２２】
ところで、第２塵埃分離部７の第２流入口１０よりその内方に吸引された質量の小さい塵埃は、前記壁面部１４内周を旋回し始め、この壁面部１４が切り欠かれた位置（第２開口部２１）で前記第１開口部１５へ誘導され、連通した前記塵埃蓄積部２０に蓄積され、第２段階の塵埃分離が行われる。また、旋回流の勢いで前記第１開口部１５を通過しようとする塵埃も前記ガイド部１６にその進路を阻まれ、速度を失った後、前記前記第１開口部１５を経て前記塵埃蓄積部２０に蓄積される。塵埃を取り除かれた吸引風は、第２塵埃分離部内を旋回した後、前記第１連通口１２を経て塵埃分離蓄積部４より排出され、前記電動送風機室３内を通って、この電動送風機室３に設けた排気口より機体外へ排出される。
【００２３】
ところで、前記第１連通口１２には通気性を有するフィルターを設けて細塵の電動送風機侵入を防ぐとともに、第２塵埃分離部７の第２流入口１０にも通気性を有するフィルターを設けて、第２塵埃分離部に吸引する塵埃の大きさを制限し、前記第１連通口１２のフィルターの目の粗さを前記第２流入口１０のフィルターの目の粗さと同等もしくはそれより小さく設けることで、前記第２流入口１０のフィルターの圧損を前記第１連通口１２のフィルターの圧損と同等以下にでき、第２塵埃分離部７への塵埃吸引をより確実に行うことができる。
【００２４】
また、前記第１連通口１２とともに、第１塵埃分離部６の内部と前記電動送風機室３を連通する第２連通口１９を集塵蓋８に設けることで、第１塵埃分離部６での吸引面積が増えるため、各連通口及び流入口での目詰まりをさらに低減し、その結果、第２塵埃分離部７の第２流入口１０部分で分離された後に第１塵埃分離部７に蓄積する塵埃をより多くできる。さらに、この第２連通口１９にも通気性を有するフィルターを設け、このフィルターの目の粗さを、第２塵埃分離部７の流入口１０に設けたフィルターの目の粗さと同等もしくはそれより大きくすることで、より多くの吸引風を第１塵埃分離部６に誘導、第２塵埃分離部７の第２流入口１０の目詰まりをより低減することで、吸引塵埃量による風量低下をより遅らせることができるとともに、第１塵埃分離部６に吸引、蓄積する塵埃量をさらに多くできる。
【００２５】
ところで第２塵埃分離部７はそのツメ部１７によって集塵蓋８の係合部１８に係合、着脱自在に装着できる。また集塵蓋８はその外周部が第１塵埃分離部６の壁面部１３の内周に密着することで着脱自在に装着できる。したがって、第１塵埃分離部６に蓄積された粗塵及びその内方に設けた塵埃蓄積部２０に蓄積された細塵は、集塵蓋８を第１塵埃分離部６より取り外すことによって同時に且つ容易に廃棄することができ、万が一塵埃が第２流入口１０に付着しても、その除去等メンテナンスも容易に行える。
【００２６】
また第２塵埃分離部７も集塵蓋８と着脱自在であることから、第２塵埃分離部７内部の清掃や、万が一塵埃が集塵蓋８の第１連通口１２や第２連通口１９に付着しても、その除去等メンテナンスが容易に行える。
【００２７】
本実施例においては、ほうき型電気掃除機として説明を行っているが、形式や電源の形態を問わず、一般の掃除機全般についても同様な構成を採用可能である。
【００２８】
【発明の効果】
本発明によれば、吸引力が急激に低下するのを防止することで集塵性能を向上させ、かつ小型化を実現した電気掃除機を提供できる。
【図面の簡単な説明】
【図１】本発明の一実施例を説明する電気掃除機の正面図
【図２】同塵埃分離蓄積部の略構成図
【図３】同第２塵埃分離部の上面図
【図４】同第２塵埃分離部の底面図
【図５】同第２塵埃分離部の正面図
【図６】同第２塵埃分離部の側面図
【図７】同集塵蓋の底面図
【図８】同第１塵埃分離部の上面図
【図９】同第２塵埃分離部と集塵蓋のユニット部品の底面図
【図１０】同第２塵埃分離部と集塵蓋のユニット部品の正面図
【図１１】同第１塵埃分離部、第２塵埃分離部と集塵蓋のユニット部品の底面図
【図１２】同第１塵埃分離部、第２塵埃分離部と集塵蓋のユニット部品の透視図
【図１３】従来の掃除機の略構成図
【符号の説明】
４  塵埃分離蓄積部
６  第１塵埃分離部
７  第２塵埃分離部
８  集塵蓋
９  第１流入口
１０  第２流入口
１２  第１連通口
１５  開口部
２０  塵埃蓄積部